(57)【要約】【課題】連続撮影において、連続撮影可能枚数が低下することなく、外部機器に撮影画像の縮小画像データを効率よく転送できるようにする。【解決手段】外部機器１３７と接続し、撮影画像の縮小画像データを転送する機能を有するカメラ１００において、連続撮影における一連の撮影及び現像が終了した段階で、選択された現像画像データがバッファメモリ１２２に保持されており、この現像画像の縮小画像データを生成し、外部機器１３７に転送する。【選択図】図１
2015213255.tif 000002
【特許請求の範囲】
【請求項１】
外部機器と接続し、撮影画像の縮小画像データを転送する機能を有する撮像装置であって、
連続撮影における一連の撮影及び現像が終了した段階で、選択された現像画像の縮小画像データを生成し、前記外部機器に転送することを特徴とする撮像装置。
【請求項２】
連続撮影において撮影される現像前の画像データを保持するとともに、選択された現像画像データを保持するバッファメモリを備えたことを特徴とする請求項１に記載の撮像装置。
【請求項３】
合焦している、手ぶれしていない、被写体の状態が一定の条件に合うという条件の一部又は全てに基づく評価が高い現像画像が選択されることを特徴とする請求項１又は２に記載の撮像装置。
【請求項４】
連続撮影において最後に撮影される現像画像が選択されることを特徴とする請求項１又は２に記載の撮像装置。
【請求項５】
連続撮影が終了した後、ファイル保存された未転送の現像画像の縮小画像データを生成し、前記外部機器に転送することを特徴とする請求項１乃至４のいずれか１項に記載の撮像装置。
【請求項６】
外部機器と接続し、撮影画像の縮小画像データを転送する機能を有する撮像装置であって、
連続撮影における各回の撮影及び現像が終了した段階で、一定の条件を満たす場合、選択された現像画像の縮小画像データを生成し、前記外部機器に転送することを特徴とする撮像装置。
【請求項７】
外部機器と接続し、撮影画像の縮小画像データを転送する機能を有する撮像装置の制御方法であって、
連続撮影における一連の撮影及び現像が終了した段階で、選択された現像画像の縮小画像データを生成し、前記外部機器に転送するよう制御することを特徴とする撮像装置の制御方法。
【請求項８】
外部機器と接続し、撮影画像の縮小画像データを転送する機能を有する撮像装置の制御方法であって、
連続撮影における各回の撮影及び現像が終了した段階で、一定の条件を満たす場合、選択された現像画像の縮小画像データを生成し、前記外部機器に転送するよう制御することを特徴とする撮像装置の制御方法。
【請求項９】
外部機器と接続し、撮影画像の縮小画像データを転送する機能を有する撮像装置を制御するためのプログラムであって、
連続撮影における一連の撮影及び現像が終了した段階で、選択された現像画像の縮小画像データを生成し、前記外部機器に転送するよう制御する処理をコンピュータに実行させるためのプログラム。
【請求項１０】
外部機器と接続し、撮影画像の縮小画像データを転送する機能を有する撮像装置を制御するためのプログラムであって、
連続撮影における各回の撮影及び現像が終了した段階で、一定の条件を満たす場合、選択された現像画像の縮小画像データを生成し、前記外部機器に転送するよう制御する処理をコンピュータに実行させるためのプログラム。
【発明の詳細な説明】
【技術分野】
【０００１】
本発明は、外部機器と接続し、撮影画像の縮小画像データを転送する機能を有する撮像装置、その制御方法及びプログラムに関する。
【背景技術】
【０００２】
デジタルカメラとスマートフォン等の外部機器とを接続し、デジタルカメラから外部機器に画像データを転送することにより、外部機器でデジタルカメラ内の画像を閲覧するシステムが提案されている。
デジタルカメラから外部機器に画像データを転送する際に、撮影した画像データをそのままのサイズで転送すると、転送に時間が掛かってしまう。また、転送画像データのサイズが大きいためスマートフォン等の外部機器で表示ができないことがある。
【０００３】
特許文献１には、デジタルカメラが、ＣＣＤによって撮影された最新の画像の画像データをバッファに書き込む撮影処理と、バッファから画像データを読み出してＨＤＤ装置に記録する記録処理と、外部からの画像データ送信要求を受けて画像データを外部に送信する送信処理とを多重処理によって実行する構成が開示されている。さらに特許文献１には、外部から画像データ送信要求を受けたとき、送信要求のあった画像の画像データをＨＤＤ装置から読み出して外部に送信する構成が開示されている。
【０００４】
また、特許文献２には、撮影により得られた本画像データを縮小した縮小画像データを生成し、外部機器への画像転送の際に、装置の動作状態に基づいて本画像データ及び前記縮小画像データのいずれかを選択する構成が開示されている。
【先行技術文献】
【特許文献】
【０００５】
【特許文献１】特開２００４−３２５９３号公報
【特許文献２】特開２００６−３４５１８８号公報
【発明の概要】
【発明が解決しようとする課題】
【０００６】
しかしながら、特許文献１に開示された従来技術では、外部から画像データ送信要求を受けたとき、ＨＤＤ装置から画像データを読み出して転送する。そのため、撮影直後の画像を閲覧したい場合に、ＨＤＤ装置に画像データが記録されるのを待たなければならないという問題がある。図６のパターン（３）がこれに相当する。図６のパターン（３）の例では、６回の撮影が連続して行われ、最後に撮影されて現像され、ファイル保存された（撮影６、現像６、ファイル６）画像データを読み出して、縮小画像データを生成（リサイズ６）して転送している（リサイズ６転送）。
【０００７】
また、特許文献２に開示された従来技術では、撮影時に本画像データ及び縮小画像データの両方の画像を作成する。そのため、撮影時に２枚の画像を作成する必要があり、撮影速度に画像処理が追い付かず、連続撮影可能枚数が低下するという問題がある。図６のパターン（２）がこれに相当する。
【０００８】
本発明は上記のような点に鑑みてなされたものであり、連続撮影において、連続撮影可能枚数が低下することなく、外部機器に撮影画像の縮小画像データを効率よく転送できるようにすることを目的とする。
【課題を解決するための手段】
【０００９】
本発明の撮像装置は、外部機器と接続し、撮影画像の縮小画像データを転送する機能を有する撮像装置であって、連続撮影における一連の撮影及び現像が終了した段階で、選択された現像画像の縮小画像データを生成し、前記外部機器に転送することを特徴とする。
【発明の効果】
【００１０】
本発明によれば、連続撮影において、連続撮影可能枚数が低下することなく、外部機器に撮影画像の縮小画像データを効率よく転送することができる。
【図面の簡単な説明】
【００１１】
【図１】第１の実施形態に係る一眼レフデジタルカメラの構成を示ブロック図である。
【図２】第１の実施形態に係る一眼レフデジタルカメラと外部機器とを示す図である。
【図３】第１の実施形態に係る一眼レフデジタルカメラでの撮像処理を示すフローチャートである。
【図４】第１の実施形態に係る一眼レフデジタルカメラでの現像処理を示すフローチャートである。
【図５】第２の実施形態に係る一眼レフデジタルカメラでの現像処理を示すフローチャートである。
【図６】連続撮影における各処理のタイムチャートを示す図である。
【発明を実施するための形態】
【００１２】
以下、添付図面を参照して、本発明の好適な実施形態について説明する。
（第１の実施形態）
図１は、本発明の実施形態に係る撮像装置である一眼レフデジタルカメラ（以下、カメラと称する）１００の構成を示ブロック図である。
１０１は撮影レンズである。
１０２はＡＦ（オートフォーカス）駆動回路である。ＡＦ駆動回路１０２は、例えばＤＣモータやステッピングモータによって構成され、マイクロコンピュータ１２３の制御によって撮影レンズ１０１のフォーカスレンズ位置を変化させることによりピントを合わせる。
１０３はズーム駆動回路である。ズーム駆動回路１０３は、例えばＤＣモータやステッピングモータによって構成され、マイクロコンピュータ１２３の制御によって撮影レンズ１０１の変倍レンズ位置を変化させることにより撮影レンズ１０１の焦点距離を変化させる。
１０４は絞りである。１０５は絞り駆動回路であり、絞り１０４を駆動する。絞り１０４の駆動量はマイクロコンピュータ１２３によって算出され、光学的な絞り値を変化させる。
【００１３】
１０６は主ミラーであり、撮影レンズ１０１から入射した光束をファインダー側と撮像素子側とに切替える。主ミラー１０６は、常時はファインダー側へと光束を導くよう反射させるように配されているが、撮影が行われるときには、撮像素子側へと光束を導くように上方に跳ね上がり光束中から待避する。また、主ミラー１０６は、その中央部が光の一部を透過できるようにハーフミラーとなっており、光束の一部を焦点検出を行うためのセンサに入射するように透過させる。
１０７サブミラーであり、主ミラー１０６から透過してきた光束を反射させ、焦点検出を行うためのセンサ（焦点検出回路１０９内に配置されている）に導く。
１０８はファインダーを構成するペンタプリズムである。ファインダーは他にピント板、アイピースレンズ（不図示）等によって構成される。
１０９は焦点検出回路である。主ミラー１０６の中央部を透過し、サブミラー１０７で反射された光束は、焦点検出回路１０９内に配置された光電変換を行うセンサに至る。フォーカス演算に用いるデフォーカス量は、センサの出力を演算することによって求められる。マイクロコンピュータ１２３は、演算結果を評価してＡＦ駆動回路１０２に指示し、フォーカスレンズを駆動させる。
【００１４】
１１０はフォーカルプレーンシャッタである。１１１はシャッタ駆動回路であり、フォーカルプレーンシャッタ１１０を駆動する。フォーカルプレーンシャッタ１１０の開口時間はマイクロコンピュータ１２３によって制御される。
１１２は撮像素子である。撮像素子１１２には、ＣＣＤやＣＭＯＳセンサ等が用いられ、撮影レンズ１０１によって結像された被写体像を電気信号に変換する。
１１３はクランプ回路である。１１４はＡＧＣ回路である。１１５はＡ／Ｄ変換器であり、撮像素子１１２のアナログ出力信号をデジタル信号に変換する。クランプ回路１１３やＡＧＣ回路１１４は、Ａ／Ｄ変換器１１５でＡ／Ｄ変換をする前の基本的なアナログ信号処理を行い、マイクロコンピュータ１２３により、クランプレベルやＡＧＣ基準レベルの変更が行われる。
【００１５】
１１６は映像・音声信号処理回路であり、ゲートアレイ等のロジックデバイスにより実現される。映像・音声信号処理回路１１６は、デジタル化された画像データに、フィルター処理、色変換処理、ガンマ処理を行うとともに、ＪＰＥＧ等の圧縮処理を行い、メモリコントローラ１１９に出力する。また、映像・音声信号処理回路１１６は、マイク１３２又は音声ライン入力１３３からの音声信号の圧縮処理を行い、メモリコントローラ１１９に出力する。映像・音声信号処理回路１１６は、撮像素子１１２からの映像信号や、メモリコントローラ１１９から逆に入力される画像データを、ＥＶＦ駆動回路１１７を通してＥＶＦモニタ１１８に出力することも可能である。これらの機能切り替えはマイクロコンピュータ１２３の指示により行われる。映像・音声信号処理回路１１６は、必要に応じて撮像素子１１２の信号の露出情報やホワイトバランス等の情報をマイクロコンピュータ１２３に出力することが可能である。これらの情報に基づいて、マイクロコンピュータ１２３は、ホワイトバランスやゲイン調整の指示を行う。連続撮影の場合、一旦、未処理画像のままバッファメモリ１２２に撮影データを保持し、メモリコントローラ１１９を通して未処理の画像データを読み出し、映像・音声信号処理回路１１６で画像処理や圧縮処理を行う。連像撮影可能枚数は、バッファメモリ１２２の大きさに左右される。映像・音声信号処理回路１１６は、マイク１３２又は音声ライン入力１３３からの音声データを、ＤＡ変換１３５を通してスピーカー１３６に出力することも可能である。
【００１６】
１１７はＥＶＦ駆動回路である。１１８はＥＶＦ（電子ビューファインダ）モニタである。
１１９はメモリコントローラである。１２０はメモリである。１２１は外部機器１３７と接続可能なインタフェースである。１２２はバッファメモリである。メモリコントローラ１１９は、映像・音声信号処理回路１１６から入力された未処理のデジタル画像・音声データをバッファメモリ１２２に保持し、処理済みのデジタル画像・音声データをメモリ１２０に記録する。また、逆にバッファメモリ１２２やメモリ１２０からデジタル画像・音声データを映像・音声信号処理回路１１６に出力する。メモリ１２０は取り外し可能である場合もある。メモリコントローラ１１９は、コンピュータ等と接続可能なインタフェース１２１を介してメモリ１２０に記録されている画像・音声データを出力可能である。
【００１７】
１２３はマイクロコンピュータである。
１２４は操作部材である。操作部材１２４は、マイクロコンピュータ１２３にその状態を伝え、マイクロコンピュータ１２３はその操作部材の変化に応じて各部をコントロールする。１２５はスイッチ１（以下、ＳＷ１と記す）である。１２６はスイッチ２（以下、ＳＷ２と記す）である。ＳＷ１とＳＷ２は、レリーズボタンの操作でオンオフするスイッチであり、それぞれ操作部材１２４の入力スイッチのうちの１つである。ＳＷ１のみオンの状態はレリーズボタン半押し状態であり、この状態でオートフォーカスの動作を行ったり、測光動作を行ったりする。ＳＷ１、ＳＷ２が共にオンの状態はレリーズボタンの全押し状態であり、画像を記録するためのレリーズボタンオン状態である。この状態で撮影が行われる。また、ＳＷ１、ＳＷ２がＯＮし続けている間は、連続撮影が行われる。操作部材１２４には、他にＩＳＯ設定ボタン、画像サイズ設定ボタン、画質設定ボタン、情報表示ボタン等が含まれており、各状態が検出されている。
【００１８】
１２７は液晶駆動回路である。１２８は外部液晶表示部材である。１２９はファインダー内液晶表示部材である。液晶駆動回路１２７は、マイクロコンピュータ１２３の表示内容命令に従って、外部液晶表示部材１２８やファインダー内液晶表示部材１２９を駆動する。また、ファインダー内液晶表示部材１２９には、不図示のＬＥＤ等のバックライトが配置されており、そのＬＥＤも液晶駆動回路１２７で駆動される。マイクロコンピュータ１２３は、撮影前に設定されているＩＳＯ感度、画像サイズ、画質に応じた、画像サイズの予測値データに基づいて、メモリコントローラ１１９を通して、メモリの容量を確認した上で撮影可能残数を演算することができる。必要に応じて外部液晶表示部材１２８、ファインダー内液晶表示部材１２９にも表示することができる。
１３０は不揮発性メモリ（ＥＥＰＲＯＭ）であり、カメラ１００に電源が入れられていない状態でも、データを保存することができる。
１３１は電源部であり、各ＩＣや駆動系に必要な電源を供給する。
【００１９】
１３２はマイクである。１３３は音声のライン入力である。１３４はＡ／Ｄ変換器であり、マイク１３２又は音声ライン入力１３３のアナログ出力信号をデジタル信号に変換する。
１３５はＤ／Ａ変換器であり、デジタル信号をアナログ出力信号に変換する。
１３６スピーカーである。
１３７はパーソナルコンピュータや携帯電話、携帯情報端末に代表される外部機器であり、インタフェース１２１を介してカメラ１００の各種情報や画像データの送受信の相手となる。また、外部機器１３７として通信回路を備えたカメラも同様に用いることも可能であり、その場合にはカメラ同士で各種情報や画像データの送受信を行うことも可能である。
【００２０】
次に、図２、図３及び図４を参照して、第１の実施形態に係るカメラ１００から外部機器１３７に縮小画像を転送する状況について説明する。
図２に示すように、カメラ１００のインタフェース１２１と外部機器（スマートフォン）１３７とを有線（ＵＳＢやＥｔｈｅｒ、専用ケーブル等）又は無線（Ｗｉ−ＦｉやＢｌｕｅｔｏｏｔｈ（登録商標）等）で接続すると、カメラ１００のマイクロコンピュータ１２３が図３及び図４のフローチャートに示す動作を開始する。
【００２１】
図３は、カメラ１００での撮像処理を示すフローチャートである。
ステップＳ１０１で、マイクロコンピュータ１２３は、操作部材１２４にあるレリーズボタン押されているか否かを判定する。レリーズボタン押されている場合、ステップＳ１０２に進み、押されていない場合、撮像処理を終了する。
ステップＳ１０２で、マイクロコンピュータ１２３の制御下で撮像素子１１２からの画像読み出しが行われ、クランプ回路１１３及びＡＧＣ回路１１４でアナログ信号処理されたアナログ信号がＡ／Ｄ変換器１１５でデジタル信号に変換される。
ステップＳ１０３で、マイクロコンピュータ１２３は、ステップＳ１０２で得られたデジタル信号を現像前の画像データとしてバッファメモリ１２２に保持し、ステップＳ１０１に戻る。
【００２２】
図４は、カメラ１００での現像処理を示すフローチャートである。なお、以下のフローチャートでは説明をわかりやすくするため、各モジュールが動作を実行するかのように記載することがある。これは実際にはマイクロコンピュータ１２３が各モジュールを用いてカメラ１００の各部を制御して動作を実行している。
ステップＳ２０１で、マイクロコンピュータ１２３は、バッファメモリ１２２に現像前の画像データが保持されているか否かをチェックする。バッファメモリ１２２に現像前の画像データ保持されている場合、ステップＳ２０２に進み、保持されていない場合、現像処理を終了する。
ステップＳ２０２で、マイクロコンピュータ１２３は、バッファメモリ１２２に保持されている現像前の画像データを、ユーザにより指定された画質で現像する。そして、この現像画像データをバッファメモリ１２２に保持するとともに、ファイル記録モジュールに通知して、ステップＳ２０３に進む。ファイル記録モジュールでは、ステップＳ２０２で通知された現像画像データをメモリ１２０に記録する（ファイル保存）。
【００２３】
ステップＳ２０３で、マイクロコンピュータ１２３は、外部機器１３７と接続中であるか否かを確認する。外部機器１３７と接続中である場合、ステップＳ２０４に進み、接続中でない場合、ステップＳ２０２で現像が終わった現像前の画像データをバッファメモリ１２２から削除し、ステップＳ２０１に戻る。
【００２４】
ステップＳ２０４で、マイクロコンピュータ１２３は、ステップＳ２０２で現像した画像（現像画像）の評価を行って評価点をつける。バッファメモリ１２２に評価済みの現像画像データがある場合、その現像画像の評価点と比較し、評価点の高い現像画像を外部機器への転送用画像として残し、評価点の低い現像画像データをバッファメモリ１２２から削除し、ステップＳ２０５に進む。ステップＳ２０４での評価点の付け方としては、ＡＦが合焦している、手ぶれしていない、被写体である人物が笑顔である等を総合的に判断して、評価点をつければよい。
或いは、評価点をつけるのではなく、連続撮影において最後に撮影される現像画像が選択されるようにしてもよい。
【００２５】
ステップＳ２０５で、マイクロコンピュータ１２３は、レリーズボタンが押されているか否かを判定する。レリーズボタンが押されている、すなわち撮影中である場合、ステップＳ２０１に戻り、撮影中でない場合、ステップＳ２０６に進む。
ステップＳ２０６で、マイクロコンピュータ１２３は、ステップＳ２０４で選択された転送用画像を外部機器用の画像サイズに縮小して縮小画像データを生成し、外部機器用の通信モジュールに通知し、ステップＳ２０１に戻る。外部機器用の通信モジュールでは、ステップＳ２０６で通知された縮小画像データを、インタフェース１２１を介して外部機器１３７に転送する。
【００２６】
図６のパターン（４）が第１の実施形態での処理に相当する。図６のパターン（４）の例では、６回の撮影が連続して行われ、最後に撮影される画像が転送用画像として選択されている。連続撮影における一連の撮影及び現像が終了した段階で、選択された現像画像（撮影６、現像６）の縮小画像データを生成し（リサイズ６）、外部機器１３７に転送している（リサイズ６転送）。
なお、図６のパターン（１）はリサイズを行わないときの例である。パターン（４）では、パターン（１）と比較して連続撮影の動作そのものは変わりないことがわかる。そして、パターン（２）や（３）と比較して、外部機器１３７への画像転送が効率よく行われていることがわかる。
【００２７】
以上説明したように、連続撮影において、連続撮影可能枚数が低下することなく、外部機器１３７に撮影画像の縮小画像データを効率よく転送することができる。
【００２８】
なお、連続撮影が終了し、新たな画像が撮影されていない場合、カメラ１００の連続撮影可能枚数に影響しないため、現像中のすべての画像の縮小画像を作成し、外部機器１３７に転送してもよい。
また、連続撮影が終了した後は、ファイル保存された未転送の現像画像データすべてをメモリ１２０から読みだし、縮小画像データを生成し、外部機器１３７に転送してもよい。
【００２９】
また、第１の実施形態では、通常の現像処理後にリサイズを行い、外部機器１３７に転送しているが、カメラ１００のバッテリ残量が少ない場合、リサイズや外部機器１３７への画像転送でバッテリを消費して、ファイル保存できない可能性がある。そこで、カメラ１００のバッテリ残量が少ないと判断したときには、撮影画像データのファイル保存を優先し、ファイル保存完了後に縮小画像データを生成し、外部機器１３７に転送するようにしてもよい（図６のパターン（３））。
【００３０】
（第２の実施形態）
第２の実施形態では、連続撮影における各回の撮影及び現像が終了した段階で、一定の条件を満たす場合、選択された現像画像の縮小画像データを生成し、外部機器１３７に転送するようにした形態を説明する。
カメラ１００の構成及び撮像処理については第１の実施形態と同様であり、以下では、第１の実施形態との相違点を中心に説明する。
【００３１】
図５は、カメラ１００での現像処理を示すフローチャートである。第２の実施形態は、連続撮影の連写速度が比較的遅く、連写速度よりも画像処理速度が速い場合に実現可能となる。
ステップＳ３０１で、マイクロコンピュータ１２３は、バッファメモリ１２２に現像前の画像データが保持されているか否かをチェックする。バッファメモリ１２２に現像前の画像データ保持されている場合、ステップＳ３０２に進み、保持されていない場合、現像処理を終了する。
ステップＳ３０２で、マイクロコンピュータ１２３は、バッファメモリ１２２に保持されている現像前の画像データを、ユーザにより指定された画質で現像する。そして、この現像画像データをバッファメモリ１２２に保持するとともに、ファイル記録モジュールに通知して、ステップＳ２０３に進む。ファイル記録モジュールでは、ステップＳ２０２で通知された現像画像データをメモリ１２０に記録する（ファイル保存）。
【００３２】
ステップＳ３０３で、マイクロコンピュータ１２３は、外部機器１３７と接続中であるか否かを確認する。外部機器１３７と接続中である場合、ステップＳ３０４に進み、接続中でない場合、ステップＳ３０２で現像が終わった現像前の画像データをバッファメモリ１２２から削除し、ステップＳ３０１に戻る。
【００３３】
ステップＳ３０４で、マイクロコンピュータ１２３は、ステップＳ３０２で現像した画像（現像画像）の評価を行って評価点をつける。バッファメモリ１２２に評価済みの現像画像データがある場合、その現像画像の評価点と比較し、評価点の高い現像画像を外部機器への転送用画像として残し、評価点の低い現像画像データをバッファメモリ１２２から削除し、ステップＳ３０５に進む。ステップＳ３０４での評価点の付け方としては、ＡＦが合焦している、手ぶれしていない、被写体である人物が笑顔である等を総合的に判断して、評価点をつければよい。
或いは、評価点をつけるのではなく、連続撮影において最新に撮影される現像画像が選択されるようにしてもよい。
【００３４】
ステップＳ３０５で、マイクロコンピュータ１２３は、バッファメモリ１２２に新たな現像前の画像データが保持されているか否かをチェックする。新たな現像前の画像データが保持されている場合、ステップＳ３０１に戻り、保持されていない場合、ステップＳ３０６に進む。
ステップＳ３０６で、マイクロコンピュータ１２３は、ステップＳ３０４で選択された転送用画像を外部機器用の画像サイズに縮小して縮小画像データを生成し、外部機器用の通信モジュールに通知し、ステップＳ３０１に戻る。外部機器用の通信モジュールでは、ステップＳ３０６で通知された縮小画像データを、インタフェース１２１を介して外部機器１３７に転送する。
【００３５】
図６のパターン（５）が第２の実施形態での処理に相当する。図６のパターン（５）の例では、例えば１回目の撮影及び現像（撮影１、現像１）が終了した段階で、次の撮影（撮影２）が始まっておらず、画像処理に余裕がある時間ができる。そこで、最新の１回目の現像画像の縮小画像データを生成し（リサイズ１）、外部機器１３７に転送している（リサイズ１転送）。３回目の撮影及び現像（撮影３、現像３）、５回目の撮影及び現像（撮影５、現像５）も同様である。
【００３６】
なお、第２の実施形態では、画像処理に余裕がある時間に、選択された現像画像の縮小画像データを生成し、外部機器１３７に転送するようにした。しかし、外部機器１３７と接続している無線通信の電波状態が悪い等の理由で転送速度が遅い場合、画像転送に時間が掛かり、転送画像のメモリ解放に時間が掛かる可能性がある。その場合、未転送の縮小画像データがメモリ１２０に溜まり、連続撮影可能枚数が低下する問題が発生する。そこで、転送速度が遅い場合は、第１の実施形態で説明した動作に切り替えるようにしてもよい。
【００３７】
以上、本発明を種々の実施形態と共に説明したが、本発明はこれらの実施形態にのみ限定されるものではなく、本発明の範囲内で変更等が可能である。
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００３８】
１１２：撮像素子、１１６：映像・音声信号処理回路、１１９：メモリコントローラ、１２０：メモリ、１２１：インタフェース、１２２：バッファメモリ、１２３：マイクロコンピュータ、１３７：外部機器
【図１】
2015213255.tif 000003
【図２】
2015213255.tif 000004
【図３】
2015213255.tif 000005
【図４】
2015213255.tif 000006
【図５】
2015213255.tif 000007
【図６】
2015213255.tif 000008